(57)【要約】【課題】ショッピングカートから容易にエレベータのかごを呼ぶことができるショッピングカート装置を提供する。【解決手段】ショッピングカート装置は、読み込むかご呼び信号に基づいて呼び込む階にかごを移動させる制御手段を有するエレベータに載せるショッピングカート装置において、上記かご呼び信号のうち乗場で受信される第１かご呼び信号を発生する第１呼び信号発生手段を備えるショッピングカートと、各乗場に配置されるとともに上記第１かご呼び信号を受信して上記制御手段に当該乗場でかご呼び込みがあった旨通知する乗場受信部と、を備える。【選択図】図１
2010064868.tif 000002
【特許請求の範囲】
【請求項１】
読み込むかご呼び信号に基づいて呼び込む階にかごを移動させる制御手段を有するエレベータに載せるショッピングカート装置において、
上記かご呼び信号のうち乗場で受信される第１かご呼び信号を発生する第１呼び信号発生手段を備えるショッピングカートと、
各乗場に配置されるとともに上記第１かご呼び信号を受信して上記制御手段に当該乗場でかご呼び込みがあった旨通知する乗場受信部と、
を備えることを特徴とするショッピングカート装置。
【請求項２】
上記ショッピングカートは、上記かご呼び信号のうち上記かご内で受信される第２かご呼び信号を発生する第２呼び信号発生手段を備え、
上記かごは、上記第２かご呼び信号を受信して上記制御手段に送るかご受信部を備えることを特徴とする請求項１に記載のショッピングカート装置。
【発明の詳細な説明】
【技術分野】
【０００１】
この発明は、ショッピングカート装置の改良に関するものである。
【背景技術】
【０００２】
従来のショッピングカートは、通常のショッピングカートに、商品に付されている商品情報を読取る商品情報読取手段と、商品情報を用いて商品の合計価格を算出する合計価格算出手段と、合計価格を表示する表示手段と、前記合計価格を支払うための支払手段と、支払手段によって合計価格が支払われたことを確認する支払確認手段と、支払確認手段によって支払いが確認された商品の支払確認情報を記憶する支払確認情報記憶手段とを備えたものがある（例えば、特許文献１参照）。
【０００３】
上述のショッピングカートによれば、買い物の途中であってもカゴに入った商品の合計価格を知ることができるので、予算を考慮した買い物を容易にすることができ、また、精算カウンタに商品を持って行かずに商品の精算をすることが可能となるので、列に並んで精算を待つ煩わしさがなくなるとともに、商品の精算に従業員を必要としないので、人件費の削減になり、さらに、支払確認情報を記憶するようにしているので、この記憶情報を利用して万引きを防止し、売上損失を低減することができる。
【０００４】
【特許文献１】特開２００１−３４４６６０号公報
【発明の開示】
【発明が解決しようとする課題】
【０００５】
しかし、上述のショッピングカートを利用して買い物をした後、エレベータを利用しようとすると、利用者の手か塞がっているので、乗り場の呼び釦などを押しにくいという課題があった。
【０００６】
この発明は、上記のような課題を解決するためになされたもので、ショッピングカートから容易にエレベータのかごを呼ぶことができるショッピングカート装置を提供することを目的とするものである。
【課題を解決するための手段】
【０００７】
この発明に係るショッピングカート装置は、読み込むかご呼び信号に基づいて呼び込む階にかごを移動させる制御手段を有するエレベータに載せるショッピングカート装置において、上記かご呼び信号のうち乗場で受信される第１かご呼び信号を発生する第１呼び信号発生手段を備えるショッピングカートと、各乗場に配置されるとともに上記第１かご呼び信号を受信して上記制御手段に当該乗場でかご呼び込みがあった旨通知する乗場受信部と、を備える。
【０００８】
また、この発明に係る他のショッピングカート装置は、上記ショッピングカートは、上記かご呼び信号のうち上記かご内で受信される第２かご呼び信号を発生する第２呼び信号発生手段を備え、上記かごは、上記第２かご呼び信号を受信して上記制御手段に送るかご受信部を備える。
【発明の効果】
【０００９】
本発明によれば、ショッピングカートに簡易なエレベータの呼び発生部を設けることにより、ショッピングカートから容易にエレベータのかごを呼ぶことができる。
【発明を実施するための最良の形態】
【００１０】
この発明を実施するための最良の形態に係るショッピングカート装置を図１乃至図３を参照して説明する。
図１は、この発明を実施するための最良の形態に係るショッピングカート装置が利用できるエレベータの全体構成図である。図２は、この発明を実施するための最良の形態に係るショッピングカート装置のショッピングカートの側面図である。図３は、ショッピングカートに配備される操作部の正面図である。
この発明を実施するための最良の形態に係るショッピングカート装置が利用できるエレベータは、図１に示すように、三相の商用電源３から配線用遮断器５を介して供給される電力を制御してモータ９を駆動制御する電動機制御部７と、モータ９により駆動される巻上げ機のシーブ１３と、シーブ１３に巻き掛けられたロープ１５と、ロープ１５の一端に連結固定された錘１７と、ロープ１５の他端に連結固定されるかご１９と、モータ９を拘束して停止させるプレーキ１０と、エレベータの全体を制御する制御手段としてのエレベータ制御部２０とを備える。
【００１１】
この発明に係るショッピングカート装置は、ショッピングカート５０と、ショッピングカート５０から送信される第１かご呼び信号を受信するためにエレベータの各階の乗場に設けられた第１乗場受信部３１、第２乗場受信部３２および第３乗場受信部３３と、ショッピングカート５０から送信される第２かご呼び信号を受信するためにかご１９内に設けられたかご受信部４１とを備える。ここで、かご受信部４１は、かご１９内が混雑したときにも第２かご呼び信号を受信できるようにするためかご１９の天面に固定されている。なお、かご受信部４１は、第２かご呼び信号の送信距離が短い場合には、図４の点線のように、かご１９内の側面に設けても良い。
また、エレベータが運行する階床数を３として説明するが、階床数に限りが有るわけではない。
【００１２】
ショッピングカート５０は、商品を入れるバスケット５２と、利用者Ｍが手で持って押すハンドル５４と、バスケット５２およびハンドル５４を載置するとともに２つの前輪５６ａおよび後輪５６ｂをそれぞれ有する車輪部５６とを備えている。
また、ショッピングカート５０は、バスケット５２の先端部に進行方向に向かって赤外線から成る第１かご呼び信号および第２かご呼び信号を発生する呼び信号発生部６０と、ハンドル５４に設けられるととともに第１かご呼び信号および第２かご呼び信号を発生させる操作を成す操作部７０とを備えている。
【００１３】
呼び信号発生部６０は、第１かご呼び信号を発生する第１呼び信号発生部６２と、第１呼び信号発生部６２の上側に設けられるとともに第２かご呼び信号を発生する第２呼び信号発生部６４とを有している。
操作部７０は、タッチパネルから成っており、第１かご呼び信号を発生させる操作を成す第１操作部７２と、第２かご呼び信号を発生させる操作を成す第２操作部８２とを備え
る。
第１操作部７２は、この部分にタッチすると第１かご呼び信号の１つであるかご上昇信号を発生する上昇タッチ部７２ｕと、この部分にタッチすると第１かご呼び信号の他の１つであるかご下降信号を発生する下降タッチ部７２ｄとを有している。
第２操作部８２は、この部分それぞれにタッチすると第２かご呼び信号のそれぞれである１階走行信号、２階走行信号、３階走行信号を発生する１階タッチ部８２ａと、２階タッチ部８２ｂと、３階タッチ部８２ｃとを有している。
なお、第１操作部７２と第１呼び信号発生部６２とをまとめて第１呼び信号発生手段、第２操作部８２と第２呼び信号発生部６４とをまとめて第２呼び信号発生手段と称す。
【００１４】
上述のように構成されたショッピングカート装置を用いてエレベータでショッピングカートを移動する手順を図１乃至図５を参照して説明する。図４は、ショッピングカート装置を用いて乗場呼びとかご呼びを発生させる動作説明図である。図５は、この発明に係るショッピングカート装置によりかご呼びの手順を示すフローチャートである。
【００１５】
いま、ショッピングカート５０のハンドル５４を利用者が押しながら１階のエレベータの乗場に近づき、利用者Ｍが操作部７０の上昇タッチ部７２ｕを押すと、第１呼び信号発生部６２は、赤外線のかご上昇信号を発生する（ステップＳ１０１）。
第１乗場受信部３１は、かご上昇信号を受信して記憶するとともにエレベータ制御部２０に１階でかご呼びが発生したことを伝える（ステップＳ１０３）。
エレベータ制御部２０は、電動機制御部７を介してモータ９を駆動制御してかご１９を下降してかご上昇信号を受信した１階に走行して停止する（ステップＳ１０５）。
【００１６】
利用者Ｍがショッピングカート５０と共に、図４の一点鎖線で示すようにかご１９に乗り込む（ステップＳ１０７）。
２階タッチ部８２ｂを利用者Ｍが押すと、第２かご呼び信号としての２階走行信号を発生してかご受信部４１がこれを受信してエレベータ制御部２０にかご１９を２階に移動するように伝える（ステップＳ１０９）。
エレベータ制御部２０は、電動機制御部７を介して駆動制御してモータ９を回転してかご１９を上昇して２階に走行して停止する（ステップＳ１１１）。
【００１７】
この発明に係るエレベータは、乗場にショッピングカート５０が待っている階に読み込んだかご呼び信号に基づいてかご１９を移動させるエレベータ制御部２０を有する。
そして、この発明に係るショッピングカート装置は、ショッピングカート５０が待っている乗場からかご呼びを行うとき第１かご呼び信号を発生する第１呼び信号発生手段をショッピングカート５０が有し、ショッピングカート５０から送信されてくる第１かご呼び信号を受信し、当該乗場にかご１９を移動するようにエレベータ制御部２０に依頼する第１乗場受信部３１、第２乗場受信部３２および第３乗場受信部３３を各乗場に備えているので、ショッピングカート５０から離れなくても乗場でのかご呼びを行うことができる。
【００１８】
また、この発明に係るショッピングカート装置は、ショッピングカート５０のハンドル５４の近くに簡易な操作部７０が設けられ、利用者Ｍの手がショッピングカート５０の操縦に塞がっていても、近くにある操作部７０を操作することができるので、容易にエレベータのかご１９を現在ショッピングカート５０が待っている階に呼びことができる。
【００１９】
また、この発明に係るショッピングカート装置は、かご１９に乗り込んだショッピングカート５０を移動させたい階へのかご呼びを行うとき第２かご呼び信号を発生する第２呼び発生手段がショッピングカート５０に、ショッピングカート５０から送信されてくる第２かご呼び信号を受信するとともに受信した第２かご呼び信号で指定される移動させたい階にかご１９を移動するようにエレベータ制御部２０に依頼するかご受信部４１がかご１９に備えられているので、ショッピングカート５０から離れなくてもかご１９内でのかご呼びを行うことができる。
【００２０】
また、この発明に係るショッピングカート装置は、ショッピングカート５０のハンドル５４の近くに簡易な操作部７０を設けられ、利用者Ｍの手がショッピングカート５０の操縦に塞がっていても、操作部７０を操作することができるので、ショッピングカート５０を移動させたい階に容易にエレベータのかご１９を移動することができる。
【００２１】
なお、上述の実施の形態のショッピングカート５０の操作部７０には、第１操作部７２と第２操作部８２とを設けたが、例えば、かご１９が各階を巡回走行するエレベータの場合、第１操作部７２のみで良い。
また、第１操作部７２に上昇タッチ部７２ｕと下降タッチ部７２ｄとを設けたが、第１操作部７２に各階の呼び信号、即ち、１階、２階、３階に対応したタッチ部を設けて、かご１９を停止した後、各階に走行させる呼び信号を発生させるようにすれば、第２操作部８２は不要となる。
また、乗場からかご１９を呼ぶ乗場呼び信号を発生するのみであれば、呼び信号の発生
源をバーコードや磁気コードとしても良い。この場合には、操作部７０が不要となる。
【図面の簡単な説明】
【００２２】
【図１】この発明を実施するための最良の形態に係るショッピングカート装置が利用できるエレベータの全体構成図である。
【図２】この発明を実施するための最良の形態に係るショッピングカート装置のショッピングカートの側面図である。
【図３】ショッピングカートに配備される操作部の正面図である。
【図４】ショッピングカートを用いてかご呼びを発生させる動作説明図である。
【図５】この発明に係るショッピングカート装置によりかご呼びの手順を示すフローチャートである。
【符号の説明】
【００２３】
３  商用電源、５  配線用遮断器、７  電動機制御部、９  モータ、１０  プレーキ、１３  シーブ、１５  ロープ、１７  錘、１９  かご、２０  エレベータ制御部、３１  第１乗場受信部、３２  第２乗場受信部、３３  第３乗場受信部、４１  かご受信部、５０  ショッピングカート、５２  バスケット、５４  ハンドル、５６  車輪部、５６ａ  前輪、５６ｂ  後輪、６０  呼び信号発生部、６２  第１呼び信号発生部、６４  第２呼び信号発生部、７０  操作部、７２  第１操作部、７２ｄ  下降タッチ部、７２ｕ  上昇タッチ部、８２  第２操作部、８２ａ  １階タッチ部、８２ｂ  ２階タッチ部、８２ｃ  ３階タッチ部。
【図１】
2010064868.tif 000003
【図２】
2010064868.tif 000004
【図３】
2010064868.tif 000005
【図４】
2010064868.tif 000006
【図５】
2010064868.tif 000007